(57)【特許請求の範囲】
【請求項１】
動物病院における動物患者の状態管理システムであって、
前記動物病院において把握されるべき前記動物患者の状態を表す複数のラベルを前記動物患者に関連付ける付与部と、
前記動物患者に対応付けて前記ラベルを記憶する記憶部と、
前記動物患者に付与された前記ラベルを表示する表示部と、
を備え、
前記ラベルごとに統計情報を生成する統計情報生成部をさらに備えること、
を特徴とする状態管理システム。
【請求項２】
請求項１に記載の状態管理システムであって、
前記動物患者の待ち時間を取得する待ち時間取得部をさらに備え、
前記統計情報生成部は、前記ラベルごとに前記待ち時間を集計すること、
を特徴とする状態管理システム。
【請求項３】
請求項１または２に記載の状態管理システムであって、
前記ラベルの夫々は視覚的に区別可能な特徴を有しており、
当該特徴は前記状態に応じて定められていること、
を特徴とする状態管理システム。
【請求項４】
請求項１乃至請求項３の何れか一項に記載の状態管理システムであって、
前記記憶部は、前記ラベルの夫々について付与条件を記憶しており、
前記付与部は、前記付与条件が満たされた場合に、当該付与条件に関連付けられた前記ラベルを前記動物患者に関連付けること、
を特徴とする状態管理システム。
【請求項５】
請求項１乃至請求項４の何れか一項に記載の状態管理システムであって、
前記ラベルに応じて前記動物患者の診察順序を決定するためのルールを記憶するルール記憶部と、
前記動物患者に付与された前記ラベル及び前記ルールに基づいて、前記動物患者の前記診察順序を決定する診察順序決定部と、
をさらに備えることを特徴とする状態管理システム。
【発明の詳細な説明】
【技術分野】
【０００１】
本発明は、動物患者の状態管理システムに関する。
【背景技術】
【０００２】
動物用の電子カルテが用いられている（特許文献１参照）。
【先行技術文献】
【特許文献】
【０００３】
【特許文献１】特開２０１５−０６９５７８号
【発明の概要】
【発明が解決しようとする課題】
【０００４】
カルテには患者の受診状況が記入されるが、現在どのような状況にあるのかは中を見ないと把握することができない。【０００５】
本発明はこのような背景を鑑みてなされたものであり、動物患者の状態を容易に把握することのできる技術を提供することを目的とする。
【課題を解決するための手段】
【０００６】
上記課題を解決するための本発明の主たる発明は、動物病院における動物患者の状態管理システムであって、前記動物病院において把握されるべき前記動物患者の状態を表す複数のラベルを前記動物患者に関連付ける付与部と、前記動物患者に対応付けて前記ラベルを記憶する記憶部と、前記動物患者に付与された前記ラベルを表示する表示部と、を備えることを特徴とする。【０００７】
その他本願が開示する課題やその解決方法については、発明の実施形態の欄及び図面により明らかにされる。
【発明の効果】
【０００８】
本発明によれば、動物患者の状態を容易に把握することができる。
【図面の簡単な説明】
【０００９】
【図１】本開示の第１の実施形態に係る状態管理システム１の構成例を示す図である。
【図２】本実施形態に係るサーバ１０を実現するコンピュータのハードウェア構成例を示す図である。
【図３】本実施形態に係るサーバ１０のソフトウェア構成例を示す図である。
【図４】本実施形態に係るカルテＤＢ１３１の一例を示す図である。
【図５】ラベル情報の構成例を示す図である。
【図６】ステータス情報の構成例を示す図である。
【図７】本実施形態の状態管理システム１の動作を説明する図である。
【図８】待ち患者動物の一覧を表示する画面４１の一例を示す図である。
【図９】集計情報を表示する画面４２の一例を示す図である。
【発明を実施するための形態】
【００１０】
＜概要＞
以下に添付図面を参照しながら、本開示の一実施形態に係る動物患者の状態管理システム１について説明する。なお、本明細書及び図面において、実質的に同一の機能構成を有する構成要素については、同一の符号を付することにより重複説明を省略する。
【００１１】
本実施形態の状態管理システム１は、動物病院における動物患者の待ち状況を管理しようとするものである。本実施形態の状態管理システム１では、動物病院における動物医療従事者が、現在どのような動物患者が何名（何匹）待っているのかを容易に把握することができるようにしている。そのために、動物患者には、現在のステータスに加えてラベルを付与し、ラベルごとにどれだけの動物患者にそのラベルが付与されているのかをカウントすることができる。
【００１２】
＜システム構成＞
図１は、本開示の第１の実施形態に係る状態管理システム１の構成例を示す図である。図示するように、本実施形態の電子カルテシステム１は、動物病院管理サーバ１０（以下、サーバ１０と称する）を含んで構成される。サーバ１０は、ユーザ端末２０及び飼い主端末３０と、ネットワークＮＷを介して通信可能に接続されている。なお、本構成は一例であり、ある構成が他の構成を兼ね備えていたり、他の構成が含まれていたりしてもよい。
【００１３】
本実施形態においてネットワークＮＷはインターネットを想定している。ネットワークＮＷは、例えば、公衆電話回線網、携帯電話回線網、無線通信網、イーサネット（登録商標）などにより構築される。
【００１４】
サーバ１０は、動物患者の状態を管理するコンピュータである。サーバ１０は、例えば、動物病院により直接的に管理されてもよいし、動物病院を経営する組織や、少なくとも一の動物病院にかかる動物病院管理システム１を提供するサービサーにより管理されてもよい。サーバ１０は、例えば、ワークステーションまたはパーソナルコンピュータのような汎用コンピュータとしてもよいし、或いはクラウドコンピューティングによって論理的に実現されてもよい。
【００１５】
ユーザ端末２０は、動物病院に勤務する医療従事者Ｒ１が操作するコンピュータである。ユーザ端末２０は、医療従事者Ｒ１が所有し、または動物医療機関より貸与されている。ユーザ端末２０は、例えば、携帯電話、スマートフォン、タブレットコンピュータまたはパーソナルコンピュータ等であり得る。
【００１６】
飼い主端末３０は、動物病院に通院する動物患者の飼い主Ｒ２が操作するコンピュータである。飼い主端末３０は、例えば、携帯電話、スマートフォン、タブレットコンピュータまたはパーソナルコンピュータ等であり得る。
【００１７】
＜ハードウェア構成例＞
図２は、本実施形態に係るサーバ１０を実現するコンピュータのハードウェア構成例を示す図である。コンピュータは、少なくとも、制御部１１、メモリ１２、ストレージ１３、通信部１４および入出力部１５等を備える。これらはバス１６を通じて相互に電気的に接続される。
【００１８】
制御部１１は、サーバ１０全体の動作を制御し、各要素間におけるデータの送受信の制御、及びアプリケーションの実行及び認証処理に必要な情報処理等を行う演算装置である。例えば制御部１１は、ＣＰＵ（Ｃｅｎｔｒａｌ  Ｐｒｏｃｅｓｓｉｎｇ  Ｕｎｉｔ）等のプロセッサであり、ストレージ１３に格納されメモリ１２に展開されたプログラム等を実行して各情報処理を実施する。
【００１９】
メモリ１２は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリまたはＨＤＤ（Ｈａｒｄ  Ｄｉｓｃ  Ｄｒｉｖｅ）等の不揮発性記憶装置で構成される補助記憶と、を含む。メモリ１２は、制御部１１のワークエリア等として使用され、また、サーバ１０の起動時に実行されるＢＩＯＳ（Ｂａｓｉｃ  Ｉｎｐｕｔ／Ｏｕｔｐｕｔ  Ｓｙｓｔｅｍ）、及び各種設定情報等を格納する。
【００２０】
ストレージ１３は、アプリケーション・プログラム等の各種プログラムを格納する。各処理に用いられるデータを格納したデータベースがストレージ１３に構築されていてもよい。
【００２１】
通信部１４は、サーバ１０をネットワークに接続する。通信部１４は、例えば、有線ＬＡＮ（Local  Area  Network）、無線ＬＡＮ、Ｗｉ−Ｆｉ（Wireless  Fidelity、登録商標）、赤外線通信、Ｂｌｕｅｔｏｏｔｈ（登録商標）、近距離または非接触通信等の方式で、外部機器と直接またはネットワークアクセスポイントを介して通信する。
【００２２】
入出力部１５は、例えば、キーボード、マウス、タッチパネル等の情報入力機器、及びディスプレイ等の出力機器である。
【００２３】
バス１６は、上記各要素に共通に接続され、例えば、アドレス信号、データ信号及び各種制御信号を伝達する。
【００２４】
本実施形態に係るユーザ端末２０及び飼い主端末３０を実現するコンピュータやスマートフォン等の端末のハードウェア構成は、図２に示すサーバ１０のハードウェア構成例と同様であるため、説明を省略する。
【００２５】
＜サーバ１０＞
図３は、本実施形態に係るサーバ１０のソフトウェア構成例を示す図である。サーバ１０は、付与部１１１、表示部１１２、ステータス更新部１１３、待ち時間取得部１１４、統計情報生成部１１５、カルテＤＢ１３１、ラベルＤＢ１３２、ルールＤＢ１３３、ステータスＤＢ１３４を備える。
【００２６】
付与部１１１、表示部１１２、ステータス更新部１１３、待ち時間取得部１１４、統計情報生成部１１５は、制御部１１がストレージ１３に記憶されているプログラムをメモリ１２に読み出して実行することにより実現され得る。カルテＤＢ１３１、ラベルＤＢ１３２、ルールＤＢ１３３、ステータスＤＢ１３４は、メモリ１２およびストレージ１３が提供する記憶領域の一部として実現され得る。なお、カルテＤＢ１３１、ラベルＤＢ１３２、ルールＤＢ１３３、ステータスＤＢ１３４は、サーバ１０以外の一または複数のサーバが提供する外部の記憶領域の一部として実現されてもよい。
【００２７】
カルテＤＢ１３１は、動物患者のカルテ情報を管理するためのデータベースである。図４は、本実施形態に係るカルテＤＢ１３１の一例を示す図である。図４に示すように、カルテ情報は、例えば、動物患者を特定する患者ＩＤと関連づけて管理される。また、動物患者毎のカルテ情報は、受診日毎に管理される。
【００２８】
カルテ情報に含まれる項目には、図４に示すように、動物情報、問診情報、身体所見、病歴、検査情報、診断情報、処置／投薬情報、処方情報、メモ、画像情報などがある。
【００２９】
動物情報には当該動物患者が該当する動物種情報が含まれる。動物種情報の例としては、イヌ、キツネ、タヌキ、フェネック、ネコ、ハムスター、モルモット、ハツカネズミ、シマリス、タイワンリス、プレーリードッグ、モモンガ、ウサギ、サル、ミニブタ、フェレット、スカンク、ロバ、ウマ（ミニチュアホース、ファラベラ）、九官鳥、ジュウシマツ、セキセイインコ、オカメインコ、ワカケホンセイインコ、文鳥、鳩、ミズガメ、リクガメ、ヤモリ、トカゲ、ヘビ、ワニ、カエル、サンショウウオ、金魚、錦鯉、熱帯魚、エビ、カブトムシ、クワガタムシ、スズムシ、水生昆虫、カマキリ、クモ、サソリ、サソリモドキ、ウデムシ、ヒヨケムシ、ムカデ、ヤスデなどが例示されるがこの限りではない。更に、イヌにおいても、犬種（犬の品種）等の下位概念が存在し得る。動物情報は、診察カルテ情報、入院カルテ情報及び手術カルテ情報の全てに含まれうる。
【００３０】
問診情報は、飼い主から取得する主観的な情報（主訴）である。例えば、「ご飯をあまり食べていない」「足に擦り傷ができている」「太ってきた」「元気がない」「鼻水が出ている」等であり、飼い主が所有する動物を見たときに観察される症状である。問診情報は、動物病院に来院した際に問診表や問診用端末等を利用して飼い主から取得することとしてもよいし、飼い主が所有する携帯端末等で事前に入力してもらい取得することとしてもよい。入院時及び手術時においても問診は行われ、入院カルテ情報及び手術カルテ情報にも問診情報は含まれうる。
【００３１】
身体所見は、動物病院等において獣医師等が調べることができ、客観的な数値で表せる身体情報である。例えば「体重」「体温」「心拍」「呼吸数」等である。
【００３２】
病歴とは、獣医師等が聴取した主観的な情報である。病歴は、上述した問診情報と同一になる場合も多いが、例えば「喉が赤い」というように飼い主だけでは実際に確認するのが困難な項目も含まれている。また、問診情報では「血尿が出ている」という情報が取得されたとしても、獣医師等によって診察したところ「肛門から出血している」という現病歴が聴取されることもある。
【００３３】
検査情報には、少なくとも当該動物患者が過去に受けた検査の内容を含んでいる。検査情報には、過去の通院、入院又は手術において受けたことのある検査や、検診において受けたことのある検査などを含めることができる。その際に、検査に対する反応（嫌がったかどうか等、検査自体の受容性・許容性に関する情報）を関連付けて記憶することとしてもよい。
【００３４】
診断情報には、少なくとも当該動物患者が過去に受けた診断の履歴が含まれている。診断情報には、過去に罹患した具体的な疾患名や怪我等の情報を含めることができる。診断情報には、過去の通院、入院又は手術において疑われた診断に関する情報を含めてもよい。
【００３５】
処置／投薬情報には、当該動物患者が過去に受けた処置または投薬に関する情報を含んでいる。処置／投薬情報には、処置または投薬に対する反応（嫌がったかどうか、体調に影響を来たしたか等、処置又は投薬自体の受容性・許容性に関する情報）を関連付けて記憶することとしてもよい。処置の内容としては、例えば、肛門腺処置、爪切処置、足裏処置、耳処置、毛抜き、眼科処置、歯科処置、エリザベスカラー・腹帯など、鍼灸処置、留置、便出し、抜糸、消毒、酸素処置、催吐処置、緊急蘇生処置、水抜き、強制給餌、洗浄、圧排、マッサージ、マイクロチップ、トリミング、カテーテル、リハビリ、手術、麻酔、入院、注射、輸血、点滴、検査、放射線治療、各種ドック、介護、衛生処置、シャンプー、しつけ、サプリメント、おやつ、避妊、去勢、ノミダニ駆除、狂犬病薬、ワクチン、フード、内用薬、点耳薬、点鼻薬、点眼薬、外用薬（軟膏・クリーム）、外用薬（消毒薬・スプレー）、外用薬、フィラリア予防などが例示できるがこの限りではない。
【００３６】
処方情報は、当該動物患者が過去に処方された薬剤等を含む。処方情報には、自宅にて処方された薬剤を服用できたか否か、嫌がったかどうか、体調に影響を来たしたか等、処置又は投薬自体の受容性・許容性に関する情報をユーザの携帯端末を介して取得して追加するようにしてもよい。
【００３７】
メモは、診察、入院又は手術の担当医、担当看護師、担当事務などにより入力されたテキストデータである。
【００３８】
画像情報は、動物患者の様子を撮影した画像である。画像情報は、静止画像であっても動画像であってもよい。
【００３９】
ラベルＤＢ１３２は、動物患者に付与するラベルに関する情報（以下、ラベル情報という。）を記憶する。図５は、ラベル情報の構成例を示す図である。ラベル情報には、ラベルに対応付けて、付与条件、優先順序、色が含まれうる。付与条件は、動物患者にラベルを自動的に付与するための条件である。例えば、「新規患者」のラベルについて、カルテ情報が登録されていないことを付与条件とすることができる。例えば、「初診」のラベルについて、過去１か月の日付のカルテ情報が存在していない場合を付与条件とすることができる。例えば、「出血」や「嘔吐」などのラベルについて、問診に「出血」や「嘔吐」などのキーワードが含まれていることを付与条件とすることができる。例えば、「フィラリア」のラベルについて、直近のカルテ情報において診察の結果が「フィラリア」であり、問診に「前回と同じ症状」とのキーワードが含まれていることを付与条件とすることができる。例えば、「レントゲン済み」のラベルについて、本日のカルテ情報の検査項目に「レントゲン」が含まれていることを付与条件とすることができる。例えば、「会計待ち」のラベルについて、予約または受け付け済みの動物患者のカルテ情報に診察結果が登録されており、かつ、会計の支払いに関する項目が登録されていないことを付与条件とすることができる。優先順序は、ラベルが付与された動物患者を優先的に診察検査等するべき順序を示す。原則として先に受け付けした動物患者を診察・検査等する場合であっても、優先順序の高いラベルの付された動物患者については、受付順を問わずに先に診察・検査等を行うようにすることができる。色は、ラベルを表示する際の色である。
【００４０】
ルールＤＢ１３３は、動物患者の受診順序を決定するためのルールを記憶する。ルールは、カルテ情報や動物患者に付与されたラベルなど任意の情報に対するものとして設定することができる。例えば、ラベルには優先順序が設定されており、ラベルの優先順序と受付日時（待ち時間）とに応じて受診順序を決定するためのルールを設定することができる。
【００４１】
ステータスＤＢ１３４は、動物患者の状態を示す情報（ステータス情報）を記憶する。図６は、ステータス情報の構成例を示す図である。ステータス情報には、動物患者を特定する患者ＩＤに対応付けて、受付日時、ステータス及びラベルを含む。ステータスは、来院してから診察が終わるまでの状態を示す。ステータスとしては、例えば、来院して受け付けをした状態を示す受付済み、診察前の検査の受付を行った状態を示す検査待ち、現在検査中であることを示す検査中、診察を待っている状態を示す診療待ち、現在診察中であることを示す診療中、診察が終わったことを示す診療済みのいずれかとすることができる。また、診察が終わり、会計も終わり、動物病院として動物患者に対して行うべきことがなくなった状態を終了のステータスとして設定してもよい。ラベルは、動物患者に付与されたラベルを示す。ラベルには、複数のラベルが含まれうる。
【００４２】
付与部１１１は、動物患者にラベルを付与する。付与部１１１は、ユーザ端末２０を用いた医療従事者Ｒ１からの入力に応じて動物患者にラベルを付与することができる。付与部１１１はまた、自動的にラベルを付与することもできる。上述したように、付与部１１１は、動物患者に関するカルテ情報やステータス情報、その他取得可能な情報により、ラベル情報に含まれている付与条件が満たされている場合に、当該動物患者に対して当該ラベル情報のラベルを付与することができる。付与部１１１は、動物患者に付与したラベルを、当該動物患者に対応するステータス情報のラベルに設定することができる。付与部１１１は、動物患者にラベルを付与した場合には、飼い主端末３０に付与したラベルを通知することもできる。
【００４３】
表示部１１２は、動物患者に付与したラベルを一覧表示することができる。本実施形態では、表示部１１２は、ステータス情報とともにラベルを表示することができる。
【００４４】
ステータス更新部１１３は、動物患者のステータスを更新する。ステータス更新部１１３は、例えば、カルテ情報の更新を検出してステータス情報のステータスを更新することができる。ステータス更新部１１３は、ユーザ端末２０を用いた医療従事者Ｒ１からの指定に応じてステータスを更新するようにすることもできる。
【００４５】
待ち時間取得部１１４は、動物患者の待ち時間を取得する。本実施形態では、待ち時間取得部１１４は、ステータス情報の受付時間から現在時刻までの時間を待ち時間として計算することができる。
【００４６】
統計情報生成部１１５は、ラベル毎に集計を行うことができる。本実施形態では、統計情報生成部１１５は、ラベルごとに動物患者の数をカウントすることができる。なお、統計情報生成部１１５は、ラベル毎の任意の集計を行うことができる。統計情報生成部１１５は、例えば、ラベルごとの待ち時間の合計、平均などの集計を行ってもよい。また、統計情報生成部１１５は、例えば、複数のラベルの組み合わせについて、集計を行ってもよいし、例えば、あるラベルについて、同時に付与されている他のラベルごとに集計を行うようにしてもよい。
【００４７】
＜動作＞
図７は、本実施形態の状態管理システム１の動作を説明する図である。
【００４８】
サーバ１０は、動物患者の受診時にはステータス情報を作成する（Ｓ４０１）。来院前に飼い主端末３０を介して問診を行った場合には、ステータス情報は来院前に作成される。動物患者が動物病院において受付が行われると、サーバ装置１０は、ステータス情報の受付時間を更新する（Ｓ４０２）。サーバ１０は、例えば、受付システムから受付時間を取得するようにしてもよいし、医療従事者Ｒ１から患者動物と受付時間との入力を受け付けるようにしてもよい。また、サーバ１０は、来院の受付とは別に、検査の受付や診察の受付が行われた場合には、受付が行われる度に受付時間を更新するようにすることができる。
【００４９】
サーバ１０は、カルテ情報やステータス情報、その他の取得可能な情報により付与条件が満たされるラベル情報を検索し、付与条件が満たされるラベル情報のラベルを動物患者に付与し、付与したラベルをステータス情報に設定する（Ｓ４０３）。また、サーバ１０は、医療従事者Ｒ１から付与するべきラベルの指定を受け付けて、指定されたラベルを動物患者に付与して、付与したラベルをステータス情報に追加することもできる（Ｓ４０４）。
【００５０】
サーバ１０は、待ち患者動物の一覧を表示する（Ｓ４０５）。図８は、待ち患者動物の一覧を表示する画面４１の一例を示す図である。画面４１には、動物病院に来院した患者動物の一覧が表示され、各患者動物について、待ち時間４１１、ステータス４１２、及びラベル４１３が表示される。サーバ１０は、ステータス情報の受付時間から現在時刻までの時間を待ち時間４１１として表示することができる。また、ステータス情報のステータス及びラベルを、画面４１のステータス４１２及びラベル４１３として表示することができる。サーバ１０は、ラベル４１３を表示するにあたり、ラベル情報の色に指定されている色でラベル４１３を表示することができる。
【００５１】
サーバ１０は、ラベル毎に集計を行った集計結果を表示することができる（Ｓ４０６）。サーバ１０は、終了のステータス以外のステータスであるステータス情報に含まれている重複ないラベルのそれぞれについて、当該ラベルが含まれているステータス情報の重複ない患者ＩＤをカウントすることにより、当該ラベルに対応する待ち患者動物の数をカウントすることができる。図９は、集計情報を表示する画面４２の一例を示す図である。図９に示すように、ラベル４２１ごとに、待ち動物患者の数４２２が表示されている。画面４２はまた、ラベルの指定欄４２３を備え、指定欄４２３で指定されたラベル（複数でもよい。）に対応するステータス情報の患者ＩＤをカウントして、指定されたラベルの待ち患者動物の数４２２を表示することもできる。
【００５２】
以上のようにして、本実施形態の状態管理システム１では、動物病院においてどのような動物患者が待っているのかを容易に把握することができる。
【００５３】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００５４】
＜開示事項＞
なお、本開示には、以下のような構成も含まれる。
［項目１］（動物患者に複数のラベルを関連付け）
動物病院における動物患者の状態管理システムであって、
前記動物病院において把握されるべき前記動物患者の状態を表す複数のラベルを前記動物患者に関連付ける付与部と、
前記動物患者に対応付けて前記ラベルを記憶する記憶部と、
前記動物患者に付与された前記ラベルを表示する表示部と、
を備えることを特徴とする状態管理システム。
［項目２］（ラベルの色分け）
項目１に記載の状態管理システムであって、
前記ラベルの夫々は視覚的に区別可能な特徴を有しており、
当該特徴は前記状態に応じて定められていること、
を特徴とする状態管理システム。
［項目３］（ラベルの表示順序）
項目１に記載の状態管理システムであって、
前記ラベルの夫々は、前記動物患者ごとに所定の優先順位に並べられて表示され、
当該特徴は前記状態に応じて定められていること、
を特徴とする状態管理システム。
［項目４］（ラベルの自動付与又は削除（他の処理や、他のラベル、所定条件に応じて）
項目１に記載の状態管理システムであって、
前記記憶部は、前記ラベルの夫々について付与条件を記憶しており、
前記付与部は、前記付与条件が満たされた場合に、当該付与条件に関連付けられた前記ラベルを前記動物患者に関連付けること、
を特徴とする状態管理システム。
［項目５］（ラベルによる統計情報の生成）
項目１に記載の状態管理システムであって、
前記ラベルごとに統計情報を生成する統計情報生成部をさらに備えること、
を特徴とする状態管理システム。
［項目６］（統計情報：ラベルごとの待ち時間の集計）
項目５に記載の状態管理システムであって、
前記動物患者の待ち時間を取得する待ち時間取得部をさらに備え、
前記統計情報生成部は、前記ラベルごとに前記待ち時間を集計すること、
を特徴とする状態管理システム。
［項目７］（ルールベースに基づく患者順序の最適化）
項目１に記載の状態管理システムであって、
前記ラベルに応じて前記動物患者の診察順序を決定するためのルールを記憶するルール記憶部と、
前記動物患者に付与された前記ラベル及び前記ルールに基づいて、前記動物患者の前記診察順序を決定する診察順序決定部と、
をさらに備えることを特徴とする状態管理システム。
［項目８］（新規ラベルのプッシュ通知機能）
項目１に記載の状態管理システムであって、
前記付与部が前記ラベルを前記動物患者に付与した場合に、前記動物患者の介護者に対して通知を行う通知部をさらに備えること、
を特徴とする状態管理システム。
【符号の説明】
【００５５】
１      状態管理システム
１０    サーバ
２０    ユーザ端末
３０    飼い主端末
１１１  付与部
１１２  表示部
１１３  ステータス更新部
１１４  待ち時間取得部
１１５  統計情報生成部
１３１  カルテＤＢ
１３２  ラベルＤＢ
１３３  ルールＤＢ
１３４  ステータスＤＢ
【要約】
【課題】動物患者の状態を容易に把握することができるようにする。
【解決手段】動物病院における動物患者の状態管理システムであって、動物病院において把握されるべき動物患者の状態を表す複数のラベルを動物患者に関連付ける付与部と、動物患者に対応付けてラベルを記憶する記憶部と、動物患者に付与されたラベルを表示する表示部と、を備えることを特徴とする。
【選択図】図１【図１】
0006982924.tif 000002
【図２】
0006982924.tif 000003
【図３】
0006982924.tif 000004
【図４】
0006982924.tif 000005
【図５】
0006982924.tif 000006
【図６】
0006982924.tif 000007
【図７】
0006982924.tif 000008
【図８】
0006982924.tif 000009
【図９】
0006982924.tif 000010